【手続補正書】
【提出日】平成29年8月31日(2017.8.31)
【手続補正１】
【補正対象書類名】特許請求の範囲
【補正対象項目名】全文
【補正方法】変更
【補正の内容】
【特許請求の範囲】
【請求項１】
電子機器であって、
第１のマイクと、
第２のマイクと、
駆動手段を駆動させるための駆動指示を入力する入力手段と、
前記第１のマイクにより得られた音声データをフーリエ変換することによって、第１の音声スペクトルデータを取得する第１の変換手段と、
前記第２のマイクにより得られた音声データをフーリエ変換することによって、第２の音声スペクトルデータを取得する第２の変換手段と、
前記駆動指示が入力された場合、前記第１の音声スペクトルデータから第１のノイズスペクトルデータを減算する第１の減算手段と、
ここで、前記第１のノイズスペクトルデータは、前記駆動指示が入力された後に、前記第１のマイクによって得られた音声データを用いて生成される、
前記駆動指示が入力された場合、前記第２の音声スペクトルデーから第２のノイズスペクトルデータを減算する第２の減算手段と、
ここで、前記第２のノイズスペクトルデータは、前記駆動指示が入力された後に、前記第２のマイクによって得られた音声データを用いて生成される、
第３の音声スペクトルデータと、第４の音声スペクトルデータとの比較結果に応じて、前記第３の音声スペクトルデータ及び前記第４の音声スペクトルデータのいずれか一つを選択する制御手段と、
ここで、前記第３の音声スペクトルデータは、前記第１の音声スペクトルデータから前記第１のノイズスペクトルデータを減算することによって取得され、
前記第４の音声スペクトルデータは、前記第２の音声スペクトルデータから前記第２のノイズスペクトルデータを減算することによって取得される、
前記第３の音声スペクトルデータ及び前記第４の音声スペクトルデータの中から選択された音声スペクトルデータを逆フーリエ変換することによって、第１の音声データを取得する第３の変換手段と、
前記第３の音声スペクトルデータ及び前記第４の音声スペクトルデータの中から選択された音声スペクトルデータを逆フーリエ変換することによって、第２の音声データを取得する第４の変換手段と、
前記第１の音声データ及び前記第２の音声データを格納する格納手段と
を有することを特徴とする電子機器。
【請求項２】
前記制御手段は、前記第３の音声スペクトルデータが、前記第４の音声スペクトルデータよりも大きい場合、前記第４の音声スペクトルデータを選択することを特徴とする請求項１に記載の電子機器。
【請求項３】
前記制御手段は、前記第３の音声スペクトルデータが、前記第４の音声スペクトルデータよりも大きい場合、前記第３の音声スペクトルデータを選択しないことを特徴とする請求項１に記載の電子機器。
【請求項４】
前記制御手段は、前記第４の音声スペクトルデータが、前記第３の音声スペクトルデータよりも大きい場合、前記第３の音声スペクトルデータを選択することを特徴とする請求項１に記載の電子機器。
【請求項５】
前記制御手段は、前記第４の音声スペクトルデータが、前記第３の音声スペクトルデータよりも大きい場合、前記第４の音声スペクトルデータを選択しないことを特徴とする請求項１に記載の電子機器。
【請求項６】
前記第３の変換手段は、前記第１のマイクにより得られた音声データに関する位相情報を用いて、前記第３の音声スペクトルデータ及び前記第４の音声スペクトルデータのいずれか一つに対して逆フーリエ変換を行うことを特徴とする請求項１に記載の電子機器。
【請求項７】
前記第４の変換手段は、前記第２のマイクにより得られた音声データに関する位相情報を用いて、前記第３の音声スペクトルデータ及び前記第４の音声スペクトルデータのいずれか一つに対して逆フーリエ変換を行うことを特徴とする請求項１に記載の電子機器。
【請求項８】
前記駆動手段は、ズーム動作を行うために用いられることを特徴とする請求項１に記載の電子機器。
【請求項９】
前記駆動手段は、レンズユニットを移動させるために用いられることを特徴とする請求項１に記載の電子機器。
【請求項１０】
前記第１のノイズスペクトルデータは、前記駆動指示が入力される前に前記第１のマイクによって得られた音声データと、前記駆動指示が入力された後に前記第１のマイクによって得られた音声データとを用いて生成されることを特徴とする請求項１に記載の電子機器。
【請求項１１】
前記第２のノイズスペクトルデータは、前記駆動指示が入力される前に前記第２のマイクによって得られた音声データと、前記駆動指示が入力された後に前記第２のマイクによって得られた音声データとを用いて生成されることを特徴とする請求項１に記載の電子機器。
【請求項１２】
第１のマイク及び第２のマイクを有する電子機器の制御方法であって、
前記第１のマイクにより得られた音声データをフーリエ変換することによって、第１の音声スペクトルデータを取得する工程と；
前記第２のマイクにより得られた音声データをフーリエ変換することによって、第２の音声スペクトルデータを取得する工程と
駆動手段を駆動させるための駆動指示が入力された場合、前記第１の音声スペクトルデータから第１のノイズスペクトルデータを減算することによって、第３の音声スペクトルデータを取得する工程と、
ここで、前記第１のノイズスペクトルデータは、前記駆動指示が入力された後に、前記第１のマイクによって得られた音声データを用いて生成される、
前記駆動指示が入力された場合、前記第２の音声スペクトルデータから第２のノイズスペクトルデータを減算することによって、第４の音声スペクトルデータを取得する工程と、
ここで、前記第２のノイズスペクトルデータは、前記駆動指示が入力された後に、前記第２のマイクによって得られた音声データを用いて生成される、
前記第３の音声スペクトルデータと、前記第４の音声スペクトルデータとの比較結果に応じて、前記第３の音声スペクトルデータ及び前記第４の音声スペクトルデータのいずれか一つを選択する工程と、
前記第３の音声スペクトルデータ及び前記第４の音声スペクトルデータの中から選択された音声スペクトルデータを逆フーリエ変換することによって、第１の音声データを取得する工程と、
前記第３の音声スペクトルデータ及び前記第４の音声スペクトルデータの中から選択された音声スペクトルデータを逆フーリエ変換することによって、第２の音声データを取得する工程と、
前記第１の音声データ及び前記第第２の音声データを格納する工程と
を有することを特徴とする電子機器の制御方法。
【請求項１３】
更に、前記第３の音声スペクトルデータが、前記第４の音声スペクトルデータよりも大きい場合、前記第４の音声スペクトルデータを選択する工程を有することを特徴とする請求項１２に記載の電子機器の制御方法。
【請求項１４】
更に、前記第４の音声スペクトルデータが、前記第３の音声スペクトルデータよりも大きい場合、前記第３の音声スペクトルデータを選択する工程を有することを特徴とする請求項１２に記載の電子機器の制御方法。
【請求項１５】
前記駆動手段は、ズーム動作を行うために用いられることを特徴とする請求項１２に記載の電子機器の制御方法。
【請求項１６】
前記駆動手段は、レンズユニットを移動させるために用いられることを特徴とする請求項１２に記載の電子機器の制御方法。
【請求項１７】
前記第１のノイズスペクトルデータは、前記駆動指示が入力される前に前記第１のマイクによって得られた音声データと、前記駆動指示が入力された後に前記第１のマイクによって得られた音声データとを用いて生成されることを特徴とする請求項１２に記載の電子機器の制御方法。
【請求項１８】
前記第２のノイズスペクトルデータは、前記駆動指示が入力される前に前記第２のマイクによって得られた音声データと、前記駆動指示が入力された後に前記第２のマイクによって得られた音声データとを用いて生成される工程を有することを特徴とする請求項１２に記載の電子機器の制御方法。
【請求項１９】
第１のマイク及び第２のマイクを有するコンピュータが読み込み実行するプログラムであって、前記コンピュータに、
前記第１のマイクにより得られた音声データをフーリエ変換することによって、第１の音声スペクトルデータを取得する工程と、
前記第２のマイクにより得られた音声データをフーリエ変換することによって、第２の音声スペクトルデータを取得する工程と、
駆動手段を駆動させるための駆動指示が入力された場合、前記第１の音声スペクトルデータから第１のノイズスペクトルデータを減算することによって、第３の音声スペクトルデータを取得する工程と、
ここで、前記第１のノイズスペクトルデータは、前記駆動指示が入力された後に、前記第１のマイクによって得られた音声データを用いて生成される、
前記駆動指示が入力された場合、前記第２の音声スペクトルデータから第２のノイズスペクトルデータを減算することによって、第４の音声スペクトルデータを取得する工程と、
ここで、前記第２のノイズスペクトルデータは、前記駆動指示が入力された後に、前記第２のマイクによって得られた音声データを用いて生成される、
前記第３の音声スペクトルデータと、前記第４の音声スペクトルデータとの比較結果に応じて、前記第３の音声スペクトルデータ及び前記第４の音声スペクトルデータのいずれか一つを選択する工程と、
前記第３の音声スペクトルデータ及び前記第４の音声スペクトルデータの中から選択された音声スペクトルデータを逆フーリエ変換することによって、第１の音声データを取得する工程と、
前記第３の音声スペクトルデータ及び前記第４の音声スペクトルデータの中から選択された音声スペクトルデータを逆フーリエ変換することによって、第２の音声データを取得する工程と、
前記第１の音声データ及び前記第第２の音声データを格納する工程と
を実行させるためのプログラム。
【手続補正２】
【補正対象書類名】明細書
【補正対象項目名】００１１
【補正方法】変更
【補正の内容】
【００１１】
本発明の電子機器は、
電子機器であって、
第１のマイクと、
第２のマイクと、
駆動手段を駆動させるための駆動指示を入力する入力手段と、
前記第１のマイクにより得られた音声データをフーリエ変換することによって、第１の音声スペクトルデータを取得する第１の変換手段と、
前記第２のマイクにより得られた音声データをフーリエ変換することによって、第２の音声スペクトルデータを取得する第２の変換手段と、
前記駆動指示が入力された場合、前記第１の音声スペクトルデータから第１のノイズスペクトルデータを減算する第１の減算手段と、
ここで、前記第１のノイズスペクトルデータは、前記駆動指示が入力された後に、前記第１のマイクによって得られた音声データを用いて生成される、
前記駆動指示が入力された場合、前記第２の音声スペクトルデーから第２のノイズスペクトルデータを減算する第２の減算手段と、
ここで、前記第２のノイズスペクトルデータは、前記駆動指示が入力された後に、前記第２のマイクによって得られた音声データを用いて生成される、
第３の音声スペクトルデータと、第４の音声スペクトルデータとの比較結果に応じて、前記第３の音声スペクトルデータ及び前記第４の音声スペクトルデータのいずれか一つを選択する制御手段と、
ここで、前記第３の音声スペクトルデータは、前記第１の音声スペクトルデータから前記第１のノイズスペクトルデータを減算することによって取得され、
前記第４の音声スペクトルデータは、前記第２の音声スペクトルデータから前記第２のノイズスペクトルデータを減算することによって取得される、
前記第３の音声スペクトルデータ及び前記第４の音声スペクトルデータの中から選択された音声スペクトルデータを逆フーリエ変換することによって、第１の音声データを取得する第３の変換手段と、
前記第３の音声スペクトルデータ及び前記第４の音声スペクトルデータの中から選択された音声スペクトルデータを逆フーリエ変換することによって、第２の音声データを取得する第４の変換手段と、
前記第１の音声データ及び前記第２の音声データを格納する格納手段とを有することを特徴とする。